【手続補正書】
【提出日】平成26年7月1日(2014.7.1)
【手続補正１】
【補正対象書類名】明細書
【補正対象項目名】発明の名称
【補正方法】変更
【補正の内容】
【発明の名称】カメラユニット装置、画像処理装置及びプログラム
【手続補正２】
【補正対象書類名】明細書
【補正対象項目名】０００１
【補正方法】変更
【補正の内容】
【０００１】
本発明は、カメラユニット装置、画像処理装置及びプログラムに関する
【手続補正３】
【補正対象書類名】明細書
【補正対象項目名】０００５
【補正方法】変更
【補正の内容】
【０００５】
本発明の課題は、必要な画像を録画できるようにすることである。
【手続補正４】
【補正対象書類名】明細書
【補正対象項目名】０００７
【補正方法】変更
【補正の内容】
【０００７】
上述した課題を解決するために本発明の他の態様は、
顧客が視認するための客用表示部の近傍に備えられたカメラにより撮影された画像を逐次録画する録画手段と、
操作部の操作に応じて発生されたイベントを判別する判別手段と、
前記判別手段により判別されたイベントに応じて、前記録画されている画像の中から保存対象の画像を抽出する抽出手段と、
前記抽出手段により抽出された保存対象の画像を外部に送出する送出手段と、
を具備する画像処理装置である。
【手続補正５】
【補正対象書類名】明細書
【補正対象項目名】０００８
【補正方法】変更
【補正の内容】
【０００８】
更に、上述した課題を解決するために本発明の他の態様は、
コンピュータを、
顧客が視認するための客用表示部の近傍に備えられたカメラにより撮影された画像を逐次録画する録画手段、
操作部の操作に応じて発生されたイベントを判別する判別手段、
前記判別されたイベントに応じて、前記録画されている画像の中から保存対象の画像を抽出する抽出手段、
前記抽出された保存対象の画像を外部に送出する送出手段、
として機能させるためのプログラムである。
【手続補正６】
【補正対象書類名】明細書
【補正対象項目名】０００９
【補正方法】変更
【補正の内容】
【０００９】
本発明によれば、必要な画像を録画することができる。
【手続補正７】
【補正対象書類名】特許請求の範囲
【補正対象項目名】全文
【補正方法】変更
【補正の内容】
【特許請求の範囲】
【請求項１】
売上データを取引毎に登録処理する売上データ処理装置を構成する本体ユニット装置に装着されていて、撮像機能のカメラを備えたカメラユニット装置であって、
前記本体ユニット装置に対して着脱可能に装着されると共に電気的に接続可能な装着部と、
登録待ち顧客が視認するための客用表示部と、
前記カメラにより撮影された画像を逐次録画する録画部と、
前記客用表示部、前記カメラ、前記録画部の動作をそれぞれ制御する制御部と、
を具備するカメラユニット装置。
【請求項２】
前記カメラとして登録待ちの顧客を撮影するための客側カメラと前記本体ユニット装置への操作の状況を撮影するための操作側カメラを備え、前記客用表示部の筐体の表面側に前記客側カメラを配置し、前記筐体の裏面側に前記操作側カメラを配置した請求項１に記載のカメラユニット装置。
【請求項３】
前記カメラとして登録待ちの顧客を撮影するための客側カメラと、
更に、顧客側の音声を集音するための客側マイクと、
前記客側マイクにより集音された音声を録音する録音部と、を更に備え、
前記制御部は、前記客用表示部、前記カメラ、前記録画部の動作を制御するほかに、前記客側マイク、前記録音部の動作を制御する請求項１に記載のカメラユニット装置。
【請求項４】
前記録画部により録画された画像を記録する可搬型の外部記憶媒体を出し入れ可能に収納する収納部を更に備え、前記収納部の開口部を覆う蓋体に錠前を配設する請求項１〜３のいずれかに記載のカメラユニット装置。
【請求項５】
前記録画部により録画された画像を外部機器に送信する送信部を更に備える請求項１〜４のいずれかに記載のカメラユニット装置。
【請求項６】
前記客用表示部、前記カメラ、前記録画部、前記制御部は、前記本体ユニット装置から供給される駆動電力を電源として動作し、
前記制御部は、本体ユニット装置側での操作に応じて発生されたイベントが前記装着部を介して転送される毎にイベント内容を判別すると共にそのイベント内容に応じて前記客用表示部、前記カメラ、前記録画部の動作をそれぞれ制御する請求項１〜５のいずれかに記載のカメラユニット装置。
【請求項７】
顧客が視認するための客用表示部の近傍に備えられたカメラにより撮影された画像を逐次録画する録画手段と、
操作部の操作に応じて発生されたイベントを判別する判別手段と、
前記判別手段により判別されたイベントに応じて、前記録画されている画像の中から保存対象の画像を抽出する抽出手段と、
前記抽出手段により抽出された保存対象の画像を外部に送出する送出手段と、
を具備する画像処理装置。
【請求項８】
前記操作部の操作に対応付けて画像の保存開始を指示する開始イベントであるか画像の保存終了を指示する終了イベントであるかを記憶するイベント記憶手段を更に備え、
前記抽出手段は、前記判別手段により判別されたイベントに応じて、前記録画されている画像の中から保存対象の画像を抽出する際に、開始イベントであると判別されてから終了イベントであると判別されるまでの間の画像を保存対象の画像として抽出する請求項７に記載の画像処理装置。
【請求項９】
前記カメラは、登録待ちの顧客を撮影するための客側カメラであり、
前記録画手段は、前記客側カメラから画像を取り込んで圧縮処理した画像を作業ファイルに逐次録画し、
前記抽出手段は、前記作業ファイルに録画されている画像の中から保存対象の画像を抽出することにより保存ファイルを生成する請求項７あるいは８に記載の画像処理装置。
【請求項１０】
前記カメラは、前記操作部への操作の状況を撮影するための操作側カメラであり、
前記録画手段は、前記操作側カメラから画像を取り込んで圧縮処理した画像を作業ファイルに逐次録画し、
前記抽出手段は、前記作業ファイルに録画されている画像の中から保存対象の画像を抽出することにより保存ファイルを生成する請求項７あるいは８に記載の画像処理装置。
【請求項１１】
前記送出手段は、前記生成した保存ファイルを着脱自在な可搬型外部記憶媒体に記録する請求項９あるいは１０に記載の画像処理装置。
【請求項１２】
前記操作部の操作に応じてその操作データをジャーナルデータとして取得して逐次記憶するジャーナル記憶手段を更に備え、
前記送出手段は、前記生成した保存ファイルを着脱自在な可搬型外部記憶媒体に記録する場合に前記ジャーナル記憶手段に記憶されているジャーナルデータも前記可搬型外部記憶媒体に記録する請求項１１に記載の画像処理装置。
【請求項１３】
前記抽出手段は、前記判別手段により判別されたイベントが所定の操作であれば、前記録音されている画像のうち、その操作を行った時点を基準としてその前後の時間内に録画されている画像を抽出する請求項７に記載の画像処理装置。
【請求項１４】
コンピュータを、
顧客が視認するための客用表示部の近傍に備えられたカメラにより撮影された画像を逐次録画する録画手段、
操作部の操作に応じて発生されたイベントを判別する判別手段、
前記判別されたイベントに応じて、前記録画されている画像の中から保存対象の画像を抽出する抽出手段、
前記抽出された保存対象の画像を外部に送出する送出手段、
として機能させるためのプログラム。